(57)【要約】【課題】  ＦＰＣ等の接続対象物とハウジングに複数列に配設されているコンタクトとを確実に接離することができるコネクタを提供する。【解決手段】  図（Ａ），（Ｂ）は、ＦＰＣ１１がコネクタ１に挿入され、第２アクチュエータ６と第１アクチュエータ４が順次それぞれ軸６ａ，４ａを中心として約９０°回転した後の状態を示す。この状態では、第１アクチュエータのカム部４ｂは、ＦＰＣを下方に押圧しているので、ＦＰＣの導電パターンは、各第１コンタクト３の接点３ｂ１に接続する。ただし、ＦＰＣの厚さは、実際よりも大きく記載されている。このとき、各第１コンタクトの凹部３ｃ１は、第１アクチュエータの軸４ａを支持する軸受の役割を営む。また、第２アクチュエータのカム部６ｂは、ＦＰＣを下方に押圧しているので、ＦＰＣの導電パターンは、各第２コンタクト５の接点５ｂ１に接続する。【選択図】  図２
2006261063.tif 000002
【特許請求の範囲】
【請求項１】
接続対象物と接続するコネクタにおいて、
前記コネクタは、前記接続対象物と接続する複数のコンタクトと、前記各コンタクトを保持するハウジングと、前記接続対象物との接続位置と非接続位置の間で回転可能に前記ハウジングに保持されている複数の操作部材とを有し、
前記各操作部材は、カム部と回転軸とを有し、
前記各コンタクトは、前記接続対象物と接続する接点を備える弾性変形可能な一側梁と、前記一側梁と対向し、かつ、前記各操作部材の回転軸と係合する凹部を備える他側梁とを有し、
前記各コンタクトの接点は、前記接続対象物との嵌合離脱方向において、複数列配設され、
前記各操作部材は、前記複数列の各コンタクトの接点に対応し、列毎に前記各コンタクトの接点と前記接続対象物とを接離することを特徴とするコネクタ。
【発明の詳細な説明】
【技術分野】
【０００１】
本発明は、ＦＰＣ，ＦＦＣ又は剛性の基板等の接続対象物と接続するコネクタに関し、詳しく述べると、複数列に配設されているコンタクトが接続対象物と確実に接続するコネクタに関する。
【背景技術】
【０００２】
従来のＦＰＣ用コネクタについて説明する（例えば、特許文献１参照。）。
【０００３】
図３は、２枚のＦＰＣ７０，８０がまだＦＰＣ用コネクタ２１に嵌合していない状態を示す断面図であり、図４は、嵌合した状態を示す断面図である。
【０００４】
ＦＰＣ用コネクタ２１は、ハウジング（インシュレータ）３０と、第１コンタクト（上側コンタクト）４０と、第２コンタクト（下側コンタクト）５０と、アクチュエータ６０とを有する。
【０００５】
ハウジング３０は、略直方体形状に構成され、その前面に２つのＦＰＣ挿入口３１，３２が設けられ、その上面に開口部３３が設けられている。
【０００６】
第１コンタクト４０は、アクチュエータ６０を回転可能に支持する支持部４１と、第１ＦＰＣ７０の導電パターン（図示せず）と接触するばね部４２と、第２ＦＰＣ８０を押圧する突部４３と、ハウジング３０の孔３４に圧入される圧入部４４とを有する。
【０００７】
支持部４１の先端部４１ａは、鉤形に形成されている。
【０００８】
ばね部４２の先端には、接触部４２ａが上下方向へ弾性変形可能に形成されている。
【０００９】
第１コンタクト４０の接触部４２ａは、アクチュエータ６０と上下方向で対向する。ＦＰＣ挿入口３１に挿入された第１ＦＰＣ７０は、アクチュエータ６０と接触部４２ａの間に位置する。
【００１０】
ばね部４２には、突部４３が接触部４２ａと一体に形成されている。
【００１１】
第２コンタクト５０は、第２ＦＰＣ８０の導体パターン（図示せず）と接触するばね部５１と、ハウジング３０の孔３５に圧入される圧入部５２とを有する。
【００１２】
ばね部５１の先端には、接触部５１ａが上下方向へ弾性変形可能に形成されている。
【００１３】
第２コンタクト５０の接触部５１ａは、突部４３と上下方向で対向する。ＦＰＣ挿入口３２に挿入された第２ＦＰＣ８０は、突部４３と接触部５１ａの間に位置する。
【００１４】
アクチュエータ６０には、長手方向に沿って溝６２が形成され、溝６２が第１コンタクト４０の支持部４１の先端部４１ａに回転可能に支持されている。
【００１５】
第１ＦＰＣ７０と第２ＦＰＣ８０のコネクタ２１への装着について説明する。
【００１６】
まず、アクチュエータ６０の溝６２を支持部４１の先端部４１ａに係合させる。
【００１７】
次に、第１ＦＰＣ７０と第２ＦＰＣ８０を、それぞれＦＰＣ挿入口３１，３２に挿入する。この結果、第１ＦＰＣ７０と接触部４２ａと第２ＦＰＣ８０と接触部５１ａとが、上下方向に交互に配置される。このとき、第１ＦＰＣ７０の導体パターンは、第１コンタクト４０の接触部４２ａに接触する。また、第２ＦＰＣ８０の導体パターンは、第２コンタクト５０の接触部５１ａに接触する。
【００１８】
その後、アクチュエータ６０の溝６２と支持部４１の先端部４１ａとの接点を回転中心として、アクチュエータ６０を反時計方向へ回転させる。すると、アクチュエータ６０の平面押圧部６１は、第１ＦＰＣ７０を押圧して下方に押し下げる。
【００１９】
この結果、第１コンタクト４０の接触部４２ａは、ばね部４２の弾性力により第１ＦＰＣ７０の導体パターンに押し付けられる。
【００２０】
このとき、ばね部４２が下方へ変位し、突部４３は第２ＦＰＣ８０を押し下げる。
【００２１】
この結果、第２コンタクト５０の接触部５１ａは、ばね部４２の突部４３により第２ＦＰＣ８０の導体パターンに押し付けられる。
【００２２】
このとき、ハウジング３０の開口部３３は、アクチュエータ６０により閉じられる。
【００２３】
【特許文献１】特開２０００−１１３９３３号公報（第２頁第２欄第４２行〜第３頁第４欄第４６行、図１〜３）
【発明の開示】
【発明が解決しようとする課題】
【００２４】
前記従来のＦＰＣ用コネクタでは、２枚のＦＰＣとハウジングに２列に配設されているコンタクトとが、１個のアクチュエータにより接離される。したがって、このコネクタには、操作部材が１個のアクチュエータのみであるという利点が存在する反面、接離を確実に行い難いという欠点が存在する。
【００２５】
そこで、本発明は、前記従来のＦＰＣ用コネクタの欠点を改良し、ＦＰＣ等の接続対象物とハウジングに複数列に配設されているコンタクトとを確実に接離することができるコネクタを提供しようとするものである。
【課題を解決するための手段】
【００２６】
本発明は、前記課題を解決するため、次の手段を採用する。
【００２７】
接続対象物と接続するコネクタにおいて、前記コネクタは、前記接続対象物と接続する複数のコンタクトと、前記各コンタクトを保持するハウジングと、前記接続対象物との接続位置と非接続位置の間で回転可能に前記ハウジングに保持されている複数の操作部材とを有し、前記各操作部材は、カム部と回転軸とを有し、前記各コンタクトは、前記接続対象物と接続する接点を備える弾性変形可能な一側梁と、前記一側梁と対向し、かつ、前記各操作部材の回転軸と係合する凹部を備える他側梁とを有し、前記各コンタクトの接点は、前記接続対象物との嵌合離脱方向において、複数列配設され、前記各操作部材は、前記複数列の各コンタクトの接点に対応し、列毎に前記各コンタクトの接点と前記接続対象物とを接離するコネクタ。
【発明の効果】
【００２８】
明細書の説明から明らかなように、本発明は、次の効果を奏する。
【００２９】
１．複数の操作部材は、それぞれ複数列の各コンタクトの接点に対応し、列毎に各コンタクトの接点と接続対象物とを確実に接続することができる。
【００３０】
２．コネクタは、複数のコンタクトと、ハウジングと、複数の操作部材とから構成されるので、部品点数が少なく、構造が簡素で、しかも、コストが安価である。
【００３１】
３．各操作部材の回転軸は、ハウジングに保持され、また、各コンタクトの凹部に係合して支持されるので、各操作部材は、安定して回転することができる。
【発明を実施するための最良の形態】
【００３２】
本発明の一実施例のコネクタについて説明する。
【実施例１】
【００３３】
本発明の実施例１のＦＰＣ用コネクタについて図１と図２を参照して説明する。
【００３４】
図１（Ａ）は、ＦＰＣ１１がコネクタ１に嵌合する前の状態において、主としてインシュレータ（ハウジング）２に保持されている第１列の第１コンタクト３と、インシュレータ２に軸４ａが保持されている第１アクチュエータ（第１操作部材）４とを示す断面図である。
【００３５】
各第１コンタクト３は、ベース部３ａと、弾性変形可能な下側梁３ｂと、下側梁３ｂと対向する上側梁３ｃと、固定用端子部３ｄとから略Ｕ字形状に一体に構成される。
【００３６】
各下側梁３ｂの先端には、接点３ｂ１が突出するように形成される。各上側梁３ｃの先端には、凹部３ｃ１が形成される。
【００３７】
第１アクチュエータ４に設けられている軸４ａは、各第１コンタクト３の凹部３ｃ１に係合する。
【００３８】
図１（Ｂ）は、ＦＰＣ１１がコネクタ１に嵌合する前の状態において、主としてインシュレータ２に保持されている第２列の第２コンタクト５と、インシュレータ２に軸６ａが保持されている第２アクチュエータ（第２操作部材）６とを示す断面図である。
【００３９】
各第２コンタクト５は、ベース部５ａと、弾性変形可能な下側梁５ｂと、下側梁５ｂと対向する上側梁５ｃと、固定用端子部５ｄとから略Ｕ字形状に一体に構成される。
【００４０】
各下側梁５ｂの先端には、接点５ｂ１が突出するように形成される。各上側梁５ｃの先端には、凹部５ｃ１が形成される。
【００４１】
第２アクチュエータ６に設けられている軸６ａは、各第２コンタクト５の凹部５ｃ１に係合する。
【００４２】
各第１コンタクト３の接点３ｂ１と各第２コンタクト５の接点５ｂ１とは、インシュレータ２において千鳥状に配列されている。
【００４３】
ＦＰＣ１１とコネクタ１との嵌合について説明する。
【００４４】
まず、図１の状態において、ＦＰＣ１１をコネクタ１に挿入する。
【００４５】
次に、図１（Ｂ）の状態において、第２アクチュエータ６を軸６ａを回転中心として約９０°左回転すると、第２アクチュエータ６は図２（Ｂ）の状態に至る。この状態では、第２アクチュエータ６のカム部６ｂは、ＦＰＣ１１を下方に押圧しているので、ＦＰＣ１１の導電パターン（図示せず）は、各第２コンタクト５の接点５ｂ１に接続する。ただし、ＦＰＣ１１の厚さは、実際よりも過大に記載されている。このとき、各第２コンタクト５の凹部５ｃ１は、第２アクチュエータ６の軸６ａを支持する軸受の役割を営む。
【００４６】
続いて、図１（Ａ）の状態において、第１アクチュエータ４を軸４ａを回転中心として約９０°左回転すると、第１アクチュエータ４は図２（Ａ）の状態に至る。この状態では、第１アクチュエータ４のカム部４ｂは、ＦＰＣ１１を下方に押圧しているので、ＦＰＣ１１の導電パターン（図示せず）は、各第１コンタクト３の接点３ｂ１に接続する。ただし、ＦＰＣ１１の厚さは、実際よりも過大に記載されている。このとき、各第１コンタクト３の凹部３ｃ１は、第１アクチュエータ４の軸４ａを支持する軸受の役割を営む。
【００４７】
このようにして、第１列の各第１コンタクト３と第２列の各第２コンタクト５は、ＦＰＣ１１の導電パターンに接続するので、ＦＰＣ１１は、コネクタ１と嵌合する。
【００４８】
本実施例１においては、コンタクト列は２列で、アクチュエータは２個であるが、コンタクト列を３列以上、アクチュエータを３個以上に増設することは、設計上随意である。
【図面の簡単な説明】
【００４９】
【図１】本発明の実施例１のコネクタにＦＰＣが嵌合する前の状態の断面図であり、（Ａ）は主として第１列の第１コンタクトと第１アクチュエータ、（Ｂ）は主として第２列の第２コンタクトと第２アクチュエータを、それぞれ示す。
【図２】同コネクタに同ＦＰＣが嵌合した状態の断面図であり、（Ａ）は主として同第１列の第１コンタクトと同第１アクチュエータ、（Ｂ）は主として同第２列の第２コンタクトと同第２アクチュエータを、それぞれ示す。
【図３】従来のＦＰＣ用コネクタにＦＰＣが嵌合する前の状態の断面図である。
【図４】同ＦＰＣ用コネクタに同ＦＰＣが嵌合した状態の断面図である。
【符号の説明】
【００５０】
１  コネクタ（ＦＰＣ用コネクタ）
２  インシュレータ（ハウジング）
３  第１コンタクト
３ａ  ベース部
３ｂ  下側梁
３ｂ１  接点
３ｃ  上側梁
３ｃ１  凹部
３ｄ  固定用端子部
４  第１アクチュエータ（第１操作部材）
４ａ  軸
４ｂ  カム部
５  第２コンタクト
５ａ  ベース部
５ｂ  下側梁
５ｂ１  接点
５ｃ  上側梁
５ｃ１  凹部
５ｄ  固定用端子部
６  第２アクチュエータ（第２操作部材）
６ａ  軸
６ｂ  カム部
１１  ＦＰＣ
【図１】
2006261063.tif 000003
【図２】
2006261063.tif 000004
【図３】
2006261063.tif 000005
【図４】
2006261063.tif 000006